(57)【要約】【課題】多くの一般ユーザが自分用の操作画面を効率的にカスタマイズすることのできる画像形成装置を提供する。【解決手段】機器の操作画面を表示する表示部を有する操作部を備えた画像形成装置であって、ユーザ毎の操作画面の設定情報を保持する設定記憶部と、ユーザからの操作画面の設定要求に応じ、上記設定記憶部から当該ユーザの操作画面の設定情報を取得して設定画面を生成し、当該設定画面を上記表示部に表示して設定を行わせ、設定結果を上記設定記憶部に保存する画面生成部とを備える。【選択図】図１
2008011220.tif 000002
【特許請求の範囲】
【請求項１】
機器の操作画面を表示する表示部を有する操作部を備えた画像形成装置であって、
ユーザ毎の操作画面の設定情報を保持する設定記憶部と、
ユーザからの操作画面の設定要求に応じ、上記設定記憶部から当該ユーザの操作画面の設定情報を取得して設定画面を生成し、当該設定画面を上記表示部に表示して設定を行わせ、設定結果を上記設定記憶部に保存する画面生成部とを備えたことを特徴とする画像形成装置。
【請求項２】
請求項１に記載の画像形成装置において、
上記設定記憶部は、上記操作部とは別体の汎用的なデータ格納領域に設けられることを特徴とする画像形成装置。
【請求項３】
請求項１に記載の画像形成装置において、
上記設定記憶部は、画像形成装置本体に設けられることを特徴とする画像形成装置。
【請求項４】
請求項１に記載の画像形成装置において、
上記設定記憶部は、ネットワーク上に配置されたサーバに設けられることを特徴とする画像形成装置。
【請求項５】
請求項１に記載の画像形成装置において、
上記画面生成部による設定結果の上記設定記憶部への保存前に、設定結果が設定ユーザに許可された範囲内であるか否かを判断するユーザ認証判別部を備え、
設定ユーザに許可された範囲内の設定結果を上記設定記憶部へ保存することを特徴とする画像形成装置。
【請求項６】
請求項１に記載の画像形成装置において、
当該機器で使用できる機能一覧を保持する機能条件記憶部を備え、
上記画面生成部は、設定画面の生成前に上記機能条件記憶部から設定ユーザの使用可能な機能一覧を取得し、使用可能な機能に基づいて設定画面を生成することを特徴とする画像形成装置。
【請求項７】
請求項１に記載の画像形成装置において、
上記表示部は、設定対象の操作画面と同じ画面内に設定画面を表示することを特徴とする画像形成装置。
【請求項８】
請求項１に記載の画像形成装置において、
上記表示部は、設定対象の操作画面と同じ画面内に設定画面を表示し、
上記画面生成部は、設定結果を操作画面にリアルタイムに反映することを特徴とする画像形成装置。
【請求項９】
請求項１に記載の画像形成装置において、
上記表示部は上記設定記憶部に登録されたユーザの操作画面の一覧を表示し、
上記画面生成部はユーザによって選択された操作画面を表示し、ユーザからの自分の画面への反映要求に応じ、当該操作画面の設定情報を当該ユーザの設定情報として上記設定記憶部に保存することを特徴とする画像形成装置。
【請求項１０】
機器の操作画面を表示する表示部を有する操作部を備えた画像形成装置のＵＩカスタマイズ方法であって、
ユーザからの操作画面の設定要求に応じ、上記操作部とは別体の汎用的なデータ格納領域に設けられ、ユーザ毎の操作画面の設定情報を保持する設定記憶部から当該ユーザの操作画面の設定情報を取得して設定画面を生成する工程と、
当該設定画面を上記表示部に表示して設定を行わせる工程と、
設定結果を上記設定記憶部に保存する工程とを備えたことを特徴とするＵＩカスタマイズ方法。
【請求項１１】
請求項１０に記載のＵＩカスタマイズ方法において、
ユーザ毎の操作画面の設定情報を画像形成装置本体もしくはネットワーク上に配置されたサーバに設けられた上記設定記憶部から取得することを特徴とするＵＩカスタマイズ方法。
【発明の詳細な説明】
【技術分野】
【０００１】
本発明は、ユーザインタフェース（ＵＩ：User Interface）となる操作画面を自由にカスタマイズできるようにした画像形成装置に関する。
【背景技術】
【０００２】
ＭＦＰ（Multi Function Printer）等の画像形成装置は、高機能化に伴い操作内容も複雑になってきており、業務効率向上の観点から操作画面を自由にカスタマイズできることが望まれている。
【０００３】
従来のＭＦＰには機器の管理者により操作画面のカスタマイズを行えるようにしたものも存在するが、そのような機種では操作画面の設定内容は操作部のメモリに保持されていた。
【０００４】
また、従来のＭＦＰでは機器で使用できる全機能をカスタマイズの対象としており、管理者はその中から所望の機能を選択してカスタマイズを行っていた。
【０００５】
更に、操作画面のカスタマイズの結果は、通常の使用状態に戻して操作画面を表示することで行っていた。
【０００６】
一方、特許文献１には多種多様な機器が存在する場合にも機器操作に要するユーザの負担を著しく低減することが可能なユーザインタフェースユニットの技術が開示されている。
【特許文献１】特開２００２−７０１１号公報
【発明の開示】
【発明が解決しようとする課題】
【０００７】
従来のＭＦＰ等では上述したように操作画面のカスタマイズが行われていたが、次のような問題点が指摘されていた。
（１）従来のＭＦＰ等ではユーザ毎に操作画面のカスタマイズは行われていなかったが、高機能化に伴い操作内容も複雑になってきており、業務効率向上の観点から各ユーザが自由に操作画面をカスタマイズできることが望まれていた。
（２）操作画面の設定内容は操作部のメモリに保持されていたため、容量の制限から多くのパターンを保持することができず、機器の管理者により少数のパターンが登録できるのみであり、多くの一般ユーザが自分用の操作画面を作成することは困難であった。近年のＭＦＰでは機器を使用する際に個人認証を行うことが可能となり、機器側はユーザを特定することができるが、メモリ容量の関係で個人の好みの画面にカスタマイズして設定を保持することは困難であった。
（３）機器で使用できる全機能をカスタマイズの対象としていたため、一般ユーザが操作画面のカスタマイズを行った場合、実際に操作画面を使用する際には設定した機能が使用できない場合があった。
（４）カスタマイズを終了し、通常の使用状態に戻さなければ操作画面のカスタマイズ結果が確認できなかったため、操作が面倒であるとともに、何の操作画面をカスタマイズしていたかが途中でわからなくなることがあった。
（５）個々の設定がどのように操作画面上に表示されるかがリアルタイムにわからず、カスタマイズの操作をやり直す必要も生じていた。
【０００８】
一方、特許文献１に示される技術は、携帯型のユーザインタフェースユニットを用いるものであり、ＭＦＰ等の操作画面を直接にカスタマイズするものではなく、上記の問題点を解決できるものではない。
【０００９】
本発明は上記の従来の問題点に鑑み提案されたものであり、その目的とするところは、多くの一般ユーザが自分用の操作画面を効率的にカスタマイズすることのできる画像形成装置を提供することにある。
【課題を解決するための手段】
【００１０】
上記の課題を解決するため、本発明にあっては、請求項１に記載されるように、機器の操作画面を表示する表示部を有する操作部を備えた画像形成装置であって、ユーザ毎の操作画面の設定情報を保持する設定記憶部と、ユーザからの操作画面の設定要求に応じ、上記設定記憶部から当該ユーザの操作画面の設定情報を取得して設定画面を生成し、当該設定画面を上記表示部に表示して設定を行わせ、設定結果を上記設定記憶部に保存する画面生成部とを備える画像形成装置を要旨としている。
【００１１】
また、請求項２に記載されるように、請求項１に記載の画像形成装置において、上記設定記憶部は、上記操作部とは別体の汎用的なデータ格納領域に設けられるものとすることができる。
【００１２】
また、請求項３に記載されるように、請求項１に記載の画像形成装置において、上記設定記憶部は、画像形成装置本体に設けられるものとすることができる。
【００１３】
また、請求項４に記載されるように、請求項１に記載の画像形成装置において、上記設定記憶部は、ネットワーク上に配置されたサーバに設けられるものとすることができる。
【００１４】
また、請求項５に記載されるように、請求項１に記載の画像形成装置において、上記画面生成部による設定結果の上記設定記憶部への保存前に、設定結果が設定ユーザに許可された範囲内であるか否かを判断するユーザ認証判別部を備え、設定ユーザに許可された範囲内の設定結果を上記設定記憶部へ保存するようにすることができる。
【００１５】
また、請求項６に記載されるように、請求項１に記載の画像形成装置において、当該機器で使用できる機能一覧を保持する機能条件記憶部を備え、上記画面生成部は、設定画面の生成前に上記機能条件記憶部から設定ユーザの使用可能な機能一覧を取得し、使用可能な機能に基づいて設定画面を生成するようにすることができる。
【００１６】
また、請求項７に記載されるように、請求項１に記載の画像形成装置において、上記表示部は、設定対象の操作画面と同じ画面内に設定画面を表示するようにすることができる。
【００１７】
また、請求項８に記載されるように、請求項１に記載の画像形成装置において、上記表示部は、設定対象の操作画面と同じ画面内に設定画面を表示し、上記画面生成部は、設定結果を操作画面にリアルタイムに反映するようにすることができる。
【００１８】
また、請求項９に記載されるように、請求項１に記載の画像形成装置において、上記表示部は上記設定記憶部に登録されたユーザの操作画面の一覧を表示し、上記画面生成部はユーザによって選択された操作画面を表示し、ユーザからの自分の画面への反映要求に応じ、当該操作画面の設定情報を当該ユーザの設定情報として上記設定記憶部に保存するようにすることができる。
【００１９】
また、請求項１０、１１に記載されるように、ＵＩカスタマイズ方法として構成することができる。
【発明の効果】
【００２０】
本発明の画像形成装置にあっては、画面生成部により操作画面のカスタマイズを行い、設定記憶部に操作画面の設定情報を保持するようにしているため、多くの一般ユーザが自分用の操作画面を効率的にカスタマイズすることができる。
【発明を実施するための最良の形態】
【００２１】
以下、本発明の好適な実施形態につき説明する。
【００２２】
＜システム構成＞
図１は本発明をＭＦＰに適用した一実施形態の構成例を示す図である。
【００２３】
図１において、ＭＦＰ１は、表示部３を有した操作部２と、画面生成部６、設定記憶部７、ユーザ認証判別部８、機能条件記憶部９等を有したＭＦＰ本体５とを備えている。操作部２とＭＦＰ本体５はバス４を介して接続されている。
【００２４】
図２は操作部２の例を示す図であり、ＭＦＰ１を操作／設定するための画面を表示する表示部３（表面にタッチパネルを設けた液晶パネル等から構成）の他に、初期設定ボタン２１、リセットボタン２２、予熱ボタン２３、テンキー２４、クリア／ストップボタン２５、スタートボタン２６等が設けられている。
【００２５】
図１に戻り、画面生成部６は、アイコン、図形等のデータを保持し、表示部３に表示する画面（通常使用時の操作画面、操作画面のカスタマイズのための設定画面等）の生成および設定内容の保存の制御を行う機能を有している。
【００２６】
設定記憶部７は、操作部２とは別体であるＭＦＰ本体５の汎用的なデータ格納領域（ＨＤＤ(Hard Disk Drive)等）に設けられ、ユーザ毎の操作画面の設定情報を保持している。なお、設定記憶部７の機能の一部もしくは全部をネットワーク上のサーバ１０に設けてもよい。
【００２７】
ユーザ認証判別部８は、ユーザ情報を保持し、操作画面のカスタマイズの設定結果が設定ユーザに許可された範囲内であるか否かを判断する機能を有している。
【００２８】
機能条件記憶部９は、ＭＦＰ１で使用できる機能の一覧を保持している。
【００２９】
図３は設定記憶部７、ユーザ認証判別部８および機能条件記憶部９の例を示す図である。
【００３０】
図３において、設定記憶部７には、「DisplayID」「Difinition」「Language」「UserID」を対応付けて管理するテーブルと、このテーブルの「Difinition」により関連付けられるユーザ毎の設定ファイルとが保持されている。
【００３１】
ユーザ認証判別部８には、「UserID」「UserName」「PassWord」「Role」等を含むユーザ情報のテーブルと、「Setting」と「Role」を対応付けたテーブルとが保持されている。設定内容があるユーザに許可されるか否かは、「Setting」の設定内容に対応する「Role」がユーザ情報の「Role」の範囲内であるか否かにより判断される。
【００３２】
機能条件記憶部９には、「Function」と「Role」を対応付けたテーブルが保持されている。あるユーザの使用可能な機能であるか否かは、「Function」の機能に対応する「Role」がユーザ情報の「Role」の範囲内であるか否かにより判断される。
【００３３】
＜動作＞
図４はユーザ認証からユーザ毎の操作画面の表示までの処理例を示すシーケンス図である。
【００３４】
図４において、ユーザ（User）は表示部３を操作することでユーザ認証を行う（ステップＳ１０１）。これによりログインユーザが確定する。
【００３５】
次いで、表示部３は画面生成部６にログインユーザに対応する操作画面の取得依頼を行う（ステップＳ１０２）。
【００３６】
次いで、画面生成部６は設定記憶部７にログインユーザに対応する設定情報の取得依頼を行い（ステップＳ１０３）、設定記憶部７から該当ユーザの設定情報の返信を受ける（ステップＳ１０４）。
【００３７】
次いで、画面生成部６は取得した設定情報に基づいて操作画面の生成を行い（ステップＳ１０５）、生成した画面データを表示部３に送信する（ステップＳ１０６）。
【００３８】
そして、表示部３は画面生成部６から受信した画面データに基づいて操作画面をユーザに対して表示する（ステップＳ１０７）。
【００３９】
図５はユーザ毎の操作画面の例を示す図であり、（ａ）は「Ｕｓｅｒ  Ａ」がログインした場合の画面を、（ｂ）は「Ｕｓｅｒ  Ｂ」がログインした場合の画面をそれぞれ示しており、ユーザ毎に予め設定された内容の表示となっている。
【００４０】
図６は操作画面のカスタマイズの処理例を示すシーケンス図である。なお、読取画面の編集を例として説明する。
【００４１】
図６において、既にユーザ認証済であるとすると、ユーザは表示部３に対して読取画面の編集依頼を行う（ステップＳ１１１）。具体的には、図２に示した操作部２において初期設定ボタン２１を押すことで図７に示すような「初期設定」画面が表示され、この画面から「ＵＩ画面設定」ボタン（ソフトボタン）を押すことで図８に示すような「ＵＩ画面設定」画面が表示され、この画面から「読取画面編集」ボタンを押すことで読取画面の編集依頼が行われる。
【００４２】
図６に戻り、表示部３は画面生成部６にログインユーザのカスタマイズ用の設定画面の取得依頼を行う（ステップＳ１１２）。
【００４３】
次いで、画面生成部６は設定記憶部７にログインユーザの設定情報の取得依頼を行い（ステップＳ１１３）、設定記憶部７から該当ユーザの設定情報の返信を受ける（ステップＳ１１４）。
【００４４】
次いで、画面生成部６は取得した設定情報に基づいて設定画面の生成を行い（ステップＳ１１５）、生成した画面データを表示部３に送信する（ステップＳ１１６）。
【００４５】
そして、表示部３は画面生成部６から受信した画面データに基づいて設定画面をユーザに対して表示する（ステップＳ１１７）。
【００４６】
図９は設定画面の例を示す図であり、「UI Customize (Scan Setting)」というタイトルのもと、「ApplicationName」の表示のOFF/ON、「thumbnail」の表示のOFF/ON、「detail」の表示のOFF/ON、「ScanSide」の選択等の設定ボタンが配置されている。右側のスクロールバーを操作することで他の設定項目の画面に移動することができる。「OK」ボタンは設定完了を指示するものである。
【００４７】
図６に戻り、ユーザが表示部３上の設定画面に対して設定を行い、変更を指示（図９における「OK」ボタンの押下）すると（ステップＳ１１８）、表示部３はその旨を画面生成部６に伝える（ステップＳ１１９）。
【００４８】
次いで、画面生成部６はユーザ認証判別部８に設定可否の問い合わせを行い（ステップＳ１２０）、ユーザ認証判別部８から問い合わせ結果を受け取る（ステップＳ１２１）。ここで、設定内容の全てに問題がなければその旨が結果として返され、一部もしくは全部に許容されないものがあればその旨が結果として返される。
【００４９】
次いで、画面生成部６は設定記憶部７に設定内容の保存を要求し（ステップＳ１２２）、保存結果を受け取る（ステップＳ１２３）。なお、一部に許容されないものがある場合は、許容されない設定内容を除外した内容を保存する。また、一部にでも許容されないものがある場合は、保存を行わず、エラー表示して処理を終了するようにしてもよい。
【００５０】
次いで、画面生成部６は表示部３に画面設定変更結果を通知し（ステップＳ１２４）、表示部３はユーザにその旨を表示する（ステップＳ１２５）。
【００５１】
図１０は設定変更完了後に表示される操作画面の例を示す図であり、設定した内容が反映されたものとなっている。
【００５２】
図１１は操作画面上に設定画面を表示する場合の画面例を示す図である。すなわち、図９に示した例では設定画面を単独で表示するものであったが、この場合、設定の結果は設定操作を終了した後でなければ確認することができず、操作が面倒であるとともに、何の操作画面をカスタマイズしていたか途中でわからなくなることがある。
【００５３】
従って、図１１では設定対象となる操作画面に重ねて設定画面を表示することで、対象となる操作画面が明確になり、更に、設定を終了した時点で即座に操作画面を確認することが可能になる。なお、表示部３の表示エリアが広い場合は操作画面と設定画面を並べて表示することもできる。
【００５４】
図１２は設定画面での変更を操作画面にリアルタイムに反映させる場合の処理例を示すシーケンス図である。この例では、図１１に示したように操作画面と設定画面を同時に表示することに加え、設定画面での変更を操作画面にリアルタイムに反映させることで操作性を向上させている。
【００５５】
図１２において、既に操作画面と設定画面が同時に表示されている状態にあるものとすると、ユーザが例えば読取両面ボタンの非表示設定を表示部３の設定画面に対して行うと（ステップＳ１３１）、表示部３は読取両面設定の設定変更を画面生成部６に伝え（ステップＳ１３２）、画面生成部６はユーザ認証判別部８に設定変更可否を問い合わせ（ステップＳ１３３）、結果を取得する（ステップＳ１３４）。
【００５６】
次いで、画面生成部６は読取両面設定の設定結果を表示部３の設定画面に伝え（ステップＳ１３５）、その旨を表示部３の設定画面からユーザに表示する（ステップＳ１３６）。
【００５７】
これと並行して、画面生成部６は設定結果を反映した操作画面を生成し（ステップＳ１３７）、表示部３の操作画面に通知し（ステップＳ１３８）、変更の反映された画面をユーザに表示する（ステップＳ１３９）。
【００５８】
同様に、ユーザが例えばサムネイル画面の非表示設定を表示部３の設定画面に対して行うと（ステップＳ１４０）、表示部３はサムネイル設定の設定変更を画面生成部６に伝え（ステップＳ１４１）、画面生成部６はユーザ認証判別部８に設定変更可否を問い合わせ（ステップＳ１４２）、結果を取得する（ステップＳ１４３）。
【００５９】
次いで、画面生成部６はサムネイル設定の設定結果を表示部３の設定画面に伝え（ステップＳ１４４）、その旨を表示部３の設定画面からユーザに表示する（ステップＳ１４５）。
【００６０】
これと並行して、画面生成部６は設定結果を反映した操作画面を生成し（ステップＳ１４６）、表示部３の操作画面に通知し（ステップＳ１４７）、変更の反映された画面をユーザに表示する（ステップＳ１４８）。
【００６１】
図１３は設定画面の表示前に機能認証を入れた場合の処理例を示すシーケンス図であり、図６のステップＳ１１１〜Ｓ１１７に置き換わるものである。設定画面の表示前に機能認証を入れることで、そのユーザに許容されない機能はカスタマイズの対象とはならず、後に使用できない機能を設定するという無駄を省くことができる。
【００６２】
図１３において、既にユーザ認証済であるとすると、ユーザは表示部３に対して読取画面の編集依頼を行う（ステップＳ１５１）。
【００６３】
次いで、表示部３は画面生成部６にログインユーザのカスタマイズ用の設定画面の取得依頼を行う（ステップＳ１５２）。
【００６４】
次いで、画面生成部６は設定記憶部７にログインユーザに対応する設定情報の取得依頼を行い（ステップＳ１５３）、設定記憶部７から該当ユーザの設定情報の返信を受ける（ステップＳ１５４）。
【００６５】
次いで、画面生成部６はユーザ認証判別部８にログインユーザのユーザ情報の取得依頼を行い（ステップＳ１５５）、ユーザ認証判別部８からユーザ情報の返信を受ける（ステップＳ１５６）。
【００６６】
次いで、画面生成部６は機能条件記憶部９にログインユーザの使用可能な機能一覧の取得依頼を行い（ステップＳ１５７）、機能条件記憶部９から機能一覧の返信を受ける（ステップＳ１５８）。
【００６７】
次いで、画面生成部６は取得した設定情報および機能一覧に基づいて設定画面の生成を行い（ステップＳ１５９）、生成した画面データを表示部３に送信する（ステップＳ１６０）。
【００６８】
そして、表示部３は画面生成部６から受信した画面データに基づいて設定画面をユーザに対して表示する（ステップＳ１６１）。
【００６９】
図１４は他ユーザの操作画面を再利用する場合の処理例を示すシーケンス図である。
【００７０】
図１４において、既にユーザ認証済であるとすると、ユーザは表示部３に対して登録画面一覧の取得を要求する（ステップＳ１７１）。具体的には、図２に示した操作部２において初期設定ボタン２１を押すことで図７に示すような「初期設定」画面が表示され、この画面から「ＵＩ画面設定」ボタンを押すことで図８に示すような「ＵＩ画面設定」画面が表示され、この画面から「画面取り込み」タブを押すことで登録画面一覧の取得要求が行われる。
【００７１】
図１４に戻り、表示部３は設定記憶部７に登録画面一覧の取得を要求し（ステップＳ１７２）、設定記憶部７から登録画面一覧を受け取る（ステップＳ１７３）。この状態で表示部３には図１５に示すように登録済みのユーザ画面が縮小表示によって一覧表示される。
【００７２】
図１４に戻り、ユーザが表示部３に例えば別のユーザＢの画面取得依頼（図１５においてユーザＢの縮小表示の画面を選択して「プレビュー」ボタンを押下）を行うと（ステップＳ１７４）、表示部３は画面生成部６にユーザＢの画面取得依頼を行い（ステップＳ１７５）、画面生成部６は設定記憶部７にユーザＢの設定取得依頼を行い（ステップＳ１７６）、設定記憶部７から設定情報を取得する（ステップＳ１７７）。
【００７３】
次いで、画面生成部６は取得した設定情報に基づいて操作画面の生成を行い（ステップＳ１７８）、生成した画面データを表示部３に送信し（ステップＳ１７９）、表示部３は画面生成部６から受信した操作画面をユーザに対して表示する（ステップＳ１８０）。
【００７４】
図１６は画面取り込みプレビュー画面の例を示す図であり、選択したユーザＢの操作画面がサンプルとして表示された状態を示している。
【００７５】
図１４に戻り、ユーザがユーザＢの画面を自分の画面に反映することを指示（図１６もしくは図１５において「取り込み」ボタンを押下）すると（ステップＳ１８１）、表示部３はその旨を画面生成部６に伝える（ステップＳ１８２）。
【００７６】
次いで、画面生成部６はユーザ認証判別部８に設定可否の問い合わせを行い（ステップＳ１８３）、ユーザ認証判別部８から問い合わせ結果を受け取る（ステップＳ１８４）。
【００７７】
次いで、画面生成部６は設定記憶部７に設定内容の保存を要求し（ステップＳ１８５）、保存結果を受け取る（ステップＳ１８６）。
【００７８】
次いで、画面生成部６は表示部３に画面設定変更結果を通知し（ステップＳ１８７）、表示部３はユーザにその旨を表示する（ステップＳ１８８）。
【００７９】
＜総括＞
上述したように、本発明にあっては次のような利点がある。
（１）操作画面を設定するための設定画面により、認証済みの各ユーザが個別に操作画面の設定を変更することができるため、個人の好みの画面を設定することができ、操作性が向上する。
（２）設定画面で設定した内容が機器本体あるいはサーバ上に保存されるため、容量の制限を受けず、複数人の好みの操作画面を設定・登録することができる。
（３）設定画面で設定した内容は機器本体あるいはサーバ上に保存されることで、別のユーザの画面設定も利用することができる。これにより、個々人がすべての設定を行わなくても、使いやすい画面を作成しているユーザの画面を複製することができ、カスタマイズ操作が簡単に行える。
（４）設定画面では、個人が利用できる機能を判別し、設定を実施させてよい範囲を判断するため、利用できない機能に対して無駄な設定を行うことが無く、希望の画面を設定することができる。
（５）操作画面と設定画面を一つの画面上に表示することで、どの部分をカスタマイズしているかを確認することができ、画面の移動を行うことなく設定箇所を認識でき、操作時間が短縮できる。
（６）操作画面と設定画面を一つの画面上に表示し、カスタマイズの結果をリアルタイムに反映することで、希望どおりの表示に設定できたかどうかを確認することができ、正しく設定できたかどうかが画面を移動することなく確認でき、操作時間が短縮できる。
【００８０】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００８１】
【図１】本発明をＭＦＰに適用した一実施形態の構成例を示す図である。
【図２】操作部の例を示す図である。
【図３】設定記憶部、ユーザ認証判別部および機能条件記憶部の保持データの例を示す図である。
【図４】ユーザ認証からユーザ毎の操作画面の表示までの処理例を示すシーケンス図である。
【図５】ユーザ毎の操作画面の例を示す図である。
【図６】操作画面のカスタマイズの処理例を示すシーケンス図である。
【図７】初期設定画面の例を示す図である。
【図８】ＵＩ画面設定の画面編集画面の例を示す図である。
【図９】設定画面の例を示す図である。
【図１０】操作画面の例を示す図である。
【図１１】操作画面上に設定画面を表示する場合の画面例を示す図である。
【図１２】設定画面での変更を操作画面にリアルタイムに反映させる場合の処理例を示すシーケンス図である。
【図１３】設定画面の表示前に機能認証を入れた場合の処理例を示すシーケンス図である。
【図１４】他ユーザの操作画面を再利用する場合の処理例を示すシーケンス図である。
【図１５】ＵＩ画面設定の画面取り込み画面の例を示す図である。
【図１６】画面取り込みプレビュー画面の例を示す図である。
【符号の説明】
【００８２】
１      ＭＦＰ
２      操作部
２１    初期設定ボタン
２２    リセットボタン
２３    予熱ボタン
２４    テンキー
２５    クリア／ストップボタン
２６    スタートボタン
３      表示部
４      バス
５      ＭＦＰ本体
６      画面生成部
７      設定記憶部
８      ユーザ認証判別部
９      機能条件記憶部
１０    サーバ
【図１】
2008011220.tif 000003
【図２】
2008011220.tif 000004
【図３】
2008011220.tif 000005
【図４】
2008011220.tif 000006
【図５】
2008011220.tif 000007
【図６】
2008011220.tif 000008
【図７】
2008011220.tif 000009
【図８】
2008011220.tif 000010
【図９】
2008011220.tif 000011
【図１０】
2008011220.tif 000012
【図１１】
2008011220.tif 000013
【図１２】
2008011220.tif 000014
【図１３】
2008011220.tif 000015
【図１４】
2008011220.tif 000016
【図１５】
2008011220.tif 000017
【図１６】
2008011220.tif 000018